(57)【特許請求の範囲】
【請求項１】
所定のピッチで規則的に配置された断面が略二等辺三角形形状である万線状の凹凸形状を有する表示面と、
前記表示面上にあって、前記凹凸形状の延長方向に略平行な第１の直線が前記凹凸形状のピッチと同ピッチで規則的に並べられた第１の直線群と、
前記第１の直線に平行な直線であって前記第１の直線に垂直な方向に位置が前記凹凸形状のピッチの略半ピッチずれた第２の直線が前記第１の直線群の前記第１の直線のピッチと同一ピッチで規則的に並べられた第２の直線群と、
を備え、
前記第１の直線群は、前記凹凸形状の一方の斜面に形成され、前記第２の直線群は、前記凹凸形状の他方の斜面に形成され、
前記第１の直線群は、表示する文字及び／又は図柄となる第１の範囲に設けられ、
前記第２の直線群は、前記第１の直線群が表示する文字及び／又は図柄と異なる文字及び／又は図柄となる第２の範囲に設けられており、
前記第１の範囲と前記第２の範囲とは、重なる部分を有し、
前記万線状の凹凸形状の長手方向に垂直な方向の見る角度によって、異なる文字及び／又は図柄が、前記第１の直線群及び前記第２の直線群により表示されること、
を特徴とする像表示媒体。
【請求項２】
請求項１に記載の像表示媒体において、
前記第１の直線及び前記第２の直線のピッチは、１００〜５００μｍの範囲であること、
を特徴とする像表示媒体。
【請求項３】
請求項１又は請求項２に記載の像表示媒体において、
前記文字及び／又は図柄は、表示される像表示媒体毎に異なる可変情報であること、
を特徴とする像表示媒体。
【請求項４】
請求項１から請求項３までのいずれか１項に記載の像表示媒体において、
前記第１の直線及び前記第２の直線の幅は、部分的にその寸法が変化していること、
を特徴とする像表示媒体。
【請求項５】
請求項１から請求項４までのいずれか１項に記載の像表示媒体の製造方法であって、
表示する第１の文字及び／又は図柄を表した第１の原図から、所定のピッチ及び幅で規則的に並べられた第１の除去直線で前記第１の文字及び／又は図柄を除去し、前記第１の文字及び／又は図柄の除去されなかった部分によって第１の直線群を形成する第１の直線群形成工程と、
前記第１の文字及び／又は図柄とは異なる第２の文字及び／又は図柄を表した第２の原図から、前記第１の除去直線と平行な直線であって前記第１の除去直線に垂直な方向に位置が前記第１の除去直線のピッチの略半ピッチずれた第２の除去直線で前記第２の文字及び／又は図柄を除去し、前記第２の文字及び／又は図柄の除去されなかった部分によって第２の直線群を形成する第２の直線群形成工程と、
断面が略二等辺三角形形状であり、前記第１の除去直線のピッチと同ピッチで規則的に配置された万線状の凹凸形状を有する表示面に対して、前記凹凸形状の一方の斜面に前記第１の直線群を配置し、前記凹凸形状の他方の斜面に前記第２の直線群を配置して、前記第１の直線群及び前記第２の直線群を表示する表示工程と、
を備える像表示媒体の製造方法。
【請求項６】
請求項５に記載の像表示媒体の製造方法において、
前記第２の直線群形成工程の前に、前記第２の原図をポジネガ反転して前記第２の原図を作成する反転工程を備えること、
を特徴とする像表示媒体の製造方法。
【発明の詳細な説明】
【０００１】
【発明の属する技術分野】
本発明は、観察する角度を変更することにより、文字や図柄等が潜像として現れたり、異なる見え方となったりする像表示媒体及びその製造方法に関するものである。
【０００２】
【従来の技術】
通常は、視認することができず、特定の手法を用いると、視認することができる像を表示することができる潜像表示媒体は、偽造防止のための手法として用いられたり、その表示によって、意匠性を向上させるために用いられている。
たとえば、特公昭５６−１９２７３号公報に記載の手法によれば、万線状の凹版印刷で、部分的にインキの盛り量に高低をつけて、又は、万線方向をパターン状に異ならせて、潜像を表示していた。
また、特公平６−４１２２５号公報には、オフセット印刷と凹版印刷を組合わせることにより、見る角度を変えると潜像が見え隠れしたり色が変化して見える印刷物及びその印刷方法が記載されている。
更に、隠し絵柄印刷といわれる手法では、表示すべき文字素と他の部分を、位相や角度、ピッチを変えた万線模様によって表現し、対応するピッチの万線スクリーンを介して見ることにより、モアレで文字等を表示していた。
【０００３】
【発明が解決しようとする課題】
しかし、前述した特公昭５６−１９２７３号公報及び特公平６−４１２２５号公報に記載の従来の像表示媒体は、凹版印刷機を使用するためインキを大量に使用し、用紙にも制限があり、生産効率が悪く、価格が高価であるという問題点があった。その上、凹版印刷機を使用するので、表示する文字や図柄毎に凹版を用意する必要があり、可変情報を潜像にしたり、見え方が変わるようにすることがコスト的にできないという問題点もあった。
また、隠し絵柄印刷による従来の潜像表示媒体は、潜像の判別に器具（万線スクリーン）が必要であるという問題点があった。その上、近年の複写機・スキャナー技術の目覚しい発展により、画像を取り込んでコンピューター処理し複製・再現することが可能となったという問題点もあった。
【０００４】
本発明の課題は、安価で意匠性が高く、判別器具等を使用する必要もなく、また、複写機やスキャナー等を使用した偽造も防止することができ、更に可変情報であっても安価に表示することができる像表示媒体及びその製造方法を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、所定のピッチで規則的に配置された断面が略二等辺三角形形状である万線状の凹凸形状を有する表示面（１０ａ）と、前記表示面上にあって、前記凹凸形状の延長方向に略平行な第１の直線が前記凹凸形状のピッチと同ピッチで規則的に並べられた第１の直線群（１Ｌ１）と、前記第１の直線に平行な直線であって前記第１の直線に垂直な方向に位置が前記凹凸形状のピッチの略半ピッチずれた第２の直線が前記第１の直線群の前記第１の直線のピッチと同一ピッチで規則的に並べられた第２の直線群（２Ｌ２）と、を備え、前記第１の直線群は、前記凹凸形状の一方の斜面に形成され、前記第２の直線群は、前記凹凸形状の他方の斜面に形成され、前記第１の直線群は、表示する文字及び／又は図柄となる第１の範囲に設けられ、前記第２の直線群は、前記第１の直線群が表示する文字及び／又は図柄と異なる文字及び／又は図柄となる第２の範囲に設けられており、前記第１の範囲と前記第２の範囲とは、重なる部分を有し、前記万線状の凹凸形状の長手方向に垂直な方向の見る角度によって、異なる文字及び／又は図柄が、前記第１の直線群及び前記第２の直線群により表示されること、を特徴とする像表示媒体である。
【０００９】
請求項２の発明は、請求項１に記載の像表示媒体において、前記第１の直線及び前記第２の直線のピッチは、１００〜５００μｍの範囲であること、を特徴とする像表示媒体である。
【００１１】
請求項３の発明は、請求項１又は請求項２に記載の像表示媒体において、前記文字及び／又は図柄は、表示される像表示媒体毎に異なる可変情報（１，２）であること、を特徴とする像表示媒体である。
請求項４の発明は、請求項１から請求項３までのいずれか１項に記載の像表示媒体において、前記第１の直線及び前記第２の直線の幅は、部分的にその寸法が変化していること、を特徴とする像表示媒体である。
【００１２】
請求項５の発明は、請求項１から請求項４までのいずれか１項に記載の像表示媒体の製造方法であって、表示する第１の文字及び／又は図柄を表した第１の原図（１ｉ）から、所定のピッチ及び幅で規則的に並べられた第１の除去直線（Ｍ１）で前記第１の文字及び／又は図柄を除去し、前記第１の文字及び／又は図柄の除去されなかった部分によって第１の直線群（１Ｌ１）を形成する第１の直線群形成工程（Ｓ１３）と、前記第１の文字及び／又は図柄とは異なる第２の文字及び／又は図柄を表した第２の原図（２ｉ，２ｉｎ）から、前記第１の除去直線と平行な直線であって前記第１の除去直線に垂直な方向に位置が前記第１の除去直線のピッチの略半ピッチずれた第２の除去直線（Ｍ２）で前記第２の文字及び／又は図柄を除去し、前記第２の文字及び／又は図柄の除去されなかった部分によって第２の直線群（２Ｌ２）を形成する第２の直線群形成工程（Ｓ１４）と、断面が略二等辺三角形形状であり、前記第１の除去直線のピッチと同ピッチで規則的に配置された万線状の凹凸形状を有する表示面（１０ａ）に対して、前記凹凸形状の一方の斜面に前記第１の直線群を配置し、前記凹凸形状の他方の斜面に前記第２の直線群を配置して、前記第１の直線群及び前記第２の直線群を表示する表示工程（Ｓ１５〜Ｓ１７）と、を備える像表示媒体の製造方法である。
【００１３】
請求項６の発明は、請求項５に記載の像表示媒体の製造方法において、前記第２の直線群形成工程（Ｓ１４）の前に、前記第２の原図（２ｉ）をポジネガ反転して前記第２の原図（２ｉｎ）を作成する反転工程（Ｓ３０）を備えること、を特徴とする像表示媒体の製造方法である。
【００１４】
【発明の実施の形態】
以下、図面等を参照しながら、本発明の実施の形態について、更に詳しく説明する。
（第１実施形態）
第１実施形態では、正面から見たときには認識できず、斜めから見たときに可変情報を潜像として表示する像表示媒体を作成した。以下、可変情報の１例として、「ＡＢＣ」の文字を潜像とする場合を例にして、本実施形態における像表示媒体について説明する。
図１は、本実施形態における像表示媒体の作成工程を示すフローチャートである。
【００１５】
ステップ（以下、Ｓとする）１０では、可変データ１を用意する。本実施形態では、可変データ１の中の文字列「ＡＢＣ」を例に挙げて説明する。
Ｓ１１では、可変データ１の画像データ１ｉを作成する。
図２は、本実施形態における画像データ１ｉを示す図である。
本実施形態では、白地に文字列「ＡＢＣ」を所定のフォントにより黒色で表し、コンピュータ上で取り扱うことができる画像データに変換した。尚、可変データ１が、顔写真等の画像データであるとき等には、このステップが不要となる場合もある。
【００１６】
Ｓ１２では、背景となるデータを作成するため、画像データ１ｉ（図２）をポジネガ反転した背景データ１ｉｎを作成する（図３）（反転工程）。
尚、本実施形態では、Ｓ１２〜Ｓ１５の処理をコンピュータを用いた画像処理により行っている。
【００１７】
Ｓ１３及びＳ１４では、画像データ１ｉ，背景データ１ｉｎそれぞれに、等ピッチの万線により形成されているマスクＭ１，マスクＭ２によってマスク処理（白抜き）を行う（第１の直線群形成工程及び第２の直線群形成工程）。
図４は、マスク処理に使用されるマスクを示す図である。
尚、以下の説明に使用する図において、万線の大きさは、理解を簡単にするため適宜拡大して示しており、また、各図毎にその拡大率を適宜変更して示した。
マスク処理に使用されるマスクＭ１とマスクＭ２は、図５に示すように等ピッチの万線状であるが、万線の延長方向に対し垂直な方向にピッチの１／２だけずれている。
【００１８】
本実施形態では、ピッチ３００μｍ、幅１８０μｍのマスクを使用した。
マスクの万線のピッチは、１００μｍ〜５００μｍ程度であることが望ましい。１００μｍ未満だと、後述する凹凸形状の作成が困難となり、５００μｍを超えると、像の解像感が失われ、マスク処理後の直線が直線として視認されてしまうからである。更に、マスクとなる直線の幅は、ピッチの１／４〜３／４程度が望ましい。マスクとなる直線の幅が狭すぎると、黒く残される部分の幅が太くなりすぎ、後述する斜面に収めにくくなり、マスクとなる直線の幅が広すぎると、黒く残される部分の幅が細くなりすぎ、潜像が不明瞭となるからである。
【００１９】
図５は、Ｓ１３における画像データ１ｉに対するマスク処理を示す図である。
画像データ１ｉとマスクＭ１とを重ねて、マスクＭ１の万線と重複する部分を白（画像データ１ｉの地色）くすることにより、第１の直線群１Ｌ１が得られる。
【００２０】
図６は、Ｓ１４における背景データ１ｉｎに対するマスク処理を示す図である。
背景データ１ｉｎとマスクＭ２とを重ねて、マスクＭ２の万線と重複する部分を白（画像データ１ｉの地色）くすることにより、第２の直線群１Ｌ２が得られる。
【００２１】
Ｓ１５では、第１の直線群１Ｌ１のデータと第２の直線群１Ｌ２のデータを合成する。
図７（ａ）は、Ｓ１５において、第１の直線群１Ｌ１のデータと第２の直線群１Ｌ２のデータを合成して作成した合成データ１Ｇを示す図である。
【００２２】
Ｓ１６では、合成データ１Ｇを各種プリンタで出力できるような形式のデータに置き換えてＳ１７において媒体に電子写真方式のレーザープリンタを使用して印刷出力する（表示工程）。
【００２３】
図８は、Ｓ１７における出力をされた像表示媒体１０を示す図である。
図８（ａ）は、像表示媒体１０を正面から見た図であり、図８（ｂ）は、Ｓ部を拡大した図であり、図８（ｃ）は、断面Ｈ１−Ｈ２を示す図である。
本実施形態では、媒体として上質紙を使用し、合成データ１Ｇを印刷する前に、図８（ｃ）に示すような規則的に配置された凹凸形状を上質紙の表示面１０ａに形成しておく。具体的には、ピッチ３００μｍの凹凸形状をエンボス加工した上質紙に印刷を行った。
【００２４】
凹凸形状は、当該潜像データを出力する部分だけに加工してあってもかまわないし、基材全体に加工してあってもかまわないが、基材全体に加工する場合には、潜像以外のデザインがいわゆるモアレと似たような現象で外観を損なわないように注意しなくてはならない。
また、凹凸形状は、用紙に熱圧を加えてエンボスにより形成することもできるし、凹版印刷などの盛り上がりの大きい印刷を使用して、基材と同系色か透明インキで形成してもかまわない。
更に、基材として紙を使用する場合は、すき入れで凹凸形状を形成した用紙を使用すると凹凸の耐性が向上するので、紙でも長期保管が可能である。
【００２５】
本実施形態のように、用紙（媒体）の凹凸形状のピッチが、出力形成された合成データの万線ピッチと等しい場合、両者は、図８に示すように、凹凸形状の斜面に相当する部分に合成データの万線が配置される位置関係であることが望ましい。白色の基材に黒色の潜像データの各々の万線が図８に示すように、凹凸の斜面上に奇麗に配置されると、視野角Ａからは、黒色の背景に白色のＡＢＣの文字がはっきりと確認でき、視野角Ｂからは、文字の色と背景の色が反転し、白地に黒の文字で確認できる。合成データの万線ピッチ及び凹凸形状のピッチが十分小さい時、正面からはＡＢＣという文字が殆ど確認できず、角度をかえて行くにしたがい確認できるようになってくるため、文字ＡＢＣが潜像としての効果を発揮する。
また、合成データの万線ピッチと凹凸形状のピッチが異なるときは、グラデーション状に文字が濃淡を持って観察され、意匠性を高めることができる。
【００２６】
本実施形態によれば、可変データに基づく画像データ１ｉと、画像データ１ｉをポジネガ反転した背景データ１ｉｎから第１の直線群１Ｌ１のデータ及び第２の直線群１Ｌ２のデータを作成して合成し、これを凹凸形状を付した用紙に印刷したので、可変データを潜像として表示することができる。
したがって、可変データであっても、安価で意匠性が高く、判別器具等を使用する必要もなく、潜像表示をすることができる。
また、凹凸形状を必要とするので、複写機やスキャナー等を使用した偽造も防止することができる。
【００２７】
（第２実施形態）
第２実施形態では、２種類の可変データを潜像として表示する場合について説明する。
第２実施形態では、第１実施形態における背景データ１ｉｎの代わりに可変データ２に基づくデータを使用する点のみが異なるので、上述した第１実施形態と共通する部分については、共通する符号を付して、重複する説明を省略する。
【００２８】
図９は、第２実施形態における像表示媒体の作成工程を示すフローチャートである。
Ｓ１０〜Ｓ１３では、可変データ１である「ＡＢＣ」から、第１の直線群１Ｌ１を作成する（第１実施形態と同様）。
Ｓ２０では、可変データ１の「ＡＢＣ」と異なる可変データ２を用意する。本実施形態では、可変データ２の文字列として「ＸＹＺ」を例に挙げて説明する。
Ｓ２１では、可変データ２の画像データ２ｉを作成する。
【００２９】
図１０は、本実施形態における画像データ２ｉを示す図である。
本実施形態では、白地に文字列「ＸＹＺ」を所定のフォントにより黒色で表し、コンピュータ上で取り扱うことができる画像データに変換した。
Ｓ１４では、画像データ２ｉに、マスクＭ２によってマスク処理（白抜き）を行う。
図１１は、マスク処理により得られた第２の直線群２Ｌ２を示す図である。
【００３０】
Ｓ１５では、第１の直線群１Ｌ１のデータと、第２の直線群２Ｌ２のデータを合成する。
図１２は、Ｓ１５において、第１の直線群１Ｌ１のデータと、第２の直線群２Ｌ２のデータを合成して作成した合成データ２Ｇを示す図である。
その後、第１実施形態と同様にして、合成データ２Ｇを凹凸形状を有する上質紙上に印刷出力した。
印刷面を図１２中のＣの方向から見ると「ＸＹＺ」を観察することができ、Ｄの方向からは「ＡＢＣ」を観察することができる。
【００３１】
本実施形態によれば、２種類の可変データに基づき、第１の直線群１Ｌ１のデータ及び第２の直線群２Ｌ２のデータを作成して合成し、これを凹凸形状を付した用紙に印刷したので、２種類の可変データを潜像として表示することができる。
したがって、異なる２つの可変データであっても、安価で意匠性が高く、判別器具等を使用する必要もなく、潜像表示をすることができ、また、凹凸形状を必要とするので、複写機やスキャナー等を使用した偽造も防止することができる。
【００３２】
（第３実施形態）
第３実施形態では、第２実施形態と同様に、２種類の可変データを潜像として表示する場合について説明する。
第３実施形態では、第２実施形態における画像データ２ｉをポジネガ反転した画像データ２ｉｎを作成し、この画像データ２ｉｎから第２の直線群２Ｌ２−２を作成した点のみが、第２実施形態と異なるので、この変更点についてのみ説明する。
【００３３】
図１３は、第３実施形態における像表示媒体の作成工程を示すフローチャートである。
本実施形態では、図９に示した第２実施形態のフローチャートのＳ２１とＳ１４との間にＳ３０を設けた点のみが異なる。
Ｓ３０では、画像データ２ｉをポジネガ反転して画像データ２ｉｎを作成する。
図１４は、画像データ２ｉｎを示す図である。
画像データ２ｉｎは、「ＸＹＺ」の文字が黒い背景に白文字で表されたデータである。
【００３４】
Ｓ１４では、画像データ２ｉｎに、マスクＭ２によってマスク処理（白抜き）を行う。
図１５は、マスク処理により得られた第２の直線群２Ｌ２−２を示す図である。
Ｓ１５では、第１の直線群１Ｌ１のデータと、第２の直線群２Ｌ２−２のデータを合成する。
図１６は、Ｓ１５において、第１の直線群１Ｌ１のデータと、第２の直線群２Ｌ２−２のデータを合成して作成した合成データ３Ｇを示す図である。
その後、第１実施形態と同様にして、合成データ３Ｇを凹凸形状を有する上質紙上に印刷出力した。
印刷面を図１６中のＥの方向から見ると「ＸＹＺ」が黒地に白文字で観察することができ、Ｆの方向からは「ＡＢＣ」を黒文字で観察することができる。
【００３５】
本実施形態によれば、表示される潜像に変化を付けることができ、より意匠性を高めることができる。
【００３６】
（変形形態）
以上説明した実施形態に限定されることなく、種々の変形や変更が可能であって、それらも本発明の均等の範囲内である。
（１）各実施形態において、白地に黒を印刷する場合を例として説明したが、これに限らず、例えば、可変データ１や２の出力に異なった色を使用すると、ＡＢＣ，ＸＹＺ等の文字（又は図柄）がより鮮やかに観察され意匠性が高まる。また、背景としてもう１色使用することも可能である。
【００３７】
（２）各実施形態において、マスクに使用する万線の幅を均一にした例を示したが、これに限らず、例えば、部分的に万線を細らせたり、太らせたり、白抜きして、彩紋を形成して、正面からの潜像のカモフラージュ効果を高めるようにしてもよい。
【００３８】
（３）各実施形態において、可変データとして文字列「ＡＢＣ」及び「ＸＹＺ」とした例を示したが、これに限らず、氏名やＩＤ番号，チケットやくじの通し番号等のように様々なデータを使用することができ、よって、像表示媒体としては、例えば、各種保証書や有価証券類，金融機関や生命保険及び損害保険等で使用される取引明細や各種証明書，値札や種別の表示用タグやラベル等に使用することにより、その効果が有効に発揮される。
【００３９】
（４）各実施形態において、電子写真方式のレーザープリンタを使用して印刷を行う例を示したが、これに限らず、例えば、出力に使用するプリンタは、インクジェット方式などでもよい。
ただし、インパクトプリンタは凹凸を損傷する可能性があるため避けた方が良い。
【００４０】
（５）各実施形態において、媒体に紙を使用する例を示したが、これに限らず、例えば、樹脂製のシートであってもよいし、樹脂成形によって凹凸形状が付された成型品等であってもよい。
【００４１】
（６）各実施形態において、凹凸形状は、図８に示したような断面が略三角形状の凹凸である例を示したが、これに限らず、例えば、正弦波のような波形の断面であってもよい。
【００４２】
【発明の効果】
以上詳しく説明したように、本発明によれば、規則的に配置された万線状の凹凸形状を有する表示面に、凹凸形状の延長方向に略平行な第１の直線が所定のピッチで規則的に並べられた第１の直線群と、第１の直線に平行な直線であって第１の直線に垂直な方向に位置が略半ピッチずれた第２の直線が第１の直線群のピッチと同一ピッチで規則的に並べられた第２の直線群とを設けたので、安価で意匠性が高く、判別器具等を使用する必要もなく、また、複写機やスキャナー等を使用した偽造も防止することができ、更に可変情報であっても安価に表示することができる。
【図面の簡単な説明】
【図１】本実施形態における像表示媒体の作成工程を示すフローチャートである。
【図２】本実施形態における画像データ１ｉを示す図である。
【図３】Ｓ１２（反転工程）により作成された背景データ１ｉｎを示す図である。
【図４】マスク処理に使用されるマスクを示す図である。
【図５】Ｓ１３における画像データ１ｉに対するマスク処理を示す図である。
【図６】Ｓ１４における背景データ１ｉｎに対するマスク処理を示す図である。
【図７】Ｓ１５において、第１の直線群１Ｌ１のデータと、第２の直線群１Ｌ２のデータを合成して作成した合成データ１Ｇを示す図である。
【図８】Ｓ１７における出力をされた像表示媒体１０を示す図である。
【図９】第２実施形態における像表示媒体の作成工程を示すフローチャートである。
【図１０】本実施形態における画像データ２ｉを示す図である。
【図１１】マスク処理により得られた第２の直線群２Ｌ２を示す図である。
【図１２】Ｓ１５において、第１の直線群１Ｌ１のデータと、第２の直線群２Ｌ２のデータを合成して作成した合成データ２Ｇを示す図である。
【図１３】第２実施形態における像表示媒体の作成工程を示すフローチャートである。
【図１４】画像データ２ｉｎを示す図である。
【図１５】マスク処理により得られた第２の直線群２Ｌ２−２を示す図である。
【図１６】Ｓ１５において、第１の直線群１Ｌ１のデータと、第２の直線群２Ｌ２−２のデータを合成して作成した合成データ３Ｇを示す図である。
【符号の説明】
１，２  可変データ
１ｉ，２ｉ，２ｉｎ  画像データ
１ｉｎ  背景データ
１Ｌ１  第１の直線群
１Ｌ２，２Ｌ２，２Ｌ２−２  第２の直線群
１Ｇ，２Ｇ，３Ｇ  合成データ
１０  像表示媒体
１０ａ  表示面
Ｍ１，Ｍ２  マスク
【図１】
0004910244.tif 000002
【図２】
0004910244.tif 000003
【図３】
0004910244.tif 000004
【図４】
0004910244.tif 000005
【図５】
0004910244.tif 000006
【図６】
0004910244.tif 000007
【図７】
0004910244.tif 000008
【図８】
0004910244.tif 000009
【図９】
0004910244.tif 000010
【図１０】
0004910244.tif 000011
【図１１】
0004910244.tif 000012
【図１２】
0004910244.tif 000013
【図１３】
0004910244.tif 000014
【図１４】
0004910244.tif 000015
【図１５】
0004910244.tif 000016
【図１６】
0004910244.tif 000017